(57)【要約】      （修正有）【課題】ウエットテッシュペーパーまたはモップ用シートを清掃においての利用範囲を広げるために、それらを保持するための保持部を設けた清掃具を提供する。【解決手段】弾性を有するスポンジ等において、上面部及び底面部の広さを概ね手の平大に形成し、その基盤上面部左右両一端方または基盤の左右両側面部に、ウエットテッシュペーパー及びモップ用シートを保持するための保持部２，３として、面ファスナーのオス面部を設け、また、基盤底面部に拭き面部とウエットテッシュペーパー等間においての滑りを潤滑にするため、スポンジフィルター等を設けることを可能とした清掃具。【選択図】図１
0003192947.tif 000002
【実用新案登録請求の範囲】
【請求項１】
弾性を有するスポンジ等において、厚さは適宜として、上面部及び底面部の広さを概ね手の平大に形成したスポンジ等を基盤とし、その基盤上面部左右両一端方または基盤の左右両側面部に、ウエットテッシュペーパー及びモップ用シートを保持するための保持部として、面ファスナーのオス面部を設けまた、基盤底面部に拭き面部とウエットテッシュペーパー等間においての滑りを潤滑にするため、スポンジフィルター等を設けることを可能とした清掃具。
【請求項２】
弾性を有するスポンジ等において、厚さを板状とし、上面部及び底面部の広さを概ね手の平大に形成したスポンジ等を基盤とし、その基盤上面部左右両一端方にウエットテッシュペーパー及びモップ用シートを保持するための保持部として、面ファスナーのオス面部を設け、さらにその同上面略中央部に突起状把持部、または指輪状の保持部を設けまた、基盤底面部に拭き面部とウエットテッシュペーパー等間においての滑りを潤滑にするため、スポンジフィルター等を設けることを可能とする清掃具。
【請求項３】
片手用仕様の小型モップの基盤部分を作成し、その基盤底面部に弾性を有するポリエステル綿またはフェルト綿等を弾性体として設け、また同モップ基盤上面四縁部分にウエットテッシュペーパー及びモップ用シートを保持するための保持部として、面ファスナーのオス面部を設け、また同面略中央部に柄を設けてなる清掃具。
【考案の詳細な説明】
【技術分野】
【０００１】  本考案は、ウエットテッシュペーパーまたはモップ用シートを清掃においての利用範囲を広げるためのウエットテッシュペーパー及びモップ用シートを清掃具に保持するための保持部また、その保持する清掃具に関するものである。
【背景技術】
【０００２】  安価なウエットテッシュペーパーまたはモップ用シートにおいて、ウエットテッシュペーパーは極薄手であるため、指先だけでの利用が多いが、清掃の水拭き用シートとして畳半畳程度であれば、布雑巾と比較しても遜色のない効果を有しているものの、ウエットテッシュペーパーを清掃具に取り付けて雑巾として利用できる清掃具の普及が従来においてまだ進んでいない。またモップ用シートにおいても、もっと多角的に利用を望むものの、まだフローリングモップの拭き材としての限定に近いその枠を超えていない。
【考案の開示】
【考案が解決しようとする課題】
【０００３】  水拭き掃除において多くの家庭では、雑巾を洗う場所として浴室を利用することが多いが、その際はバケツ等を使用したり、また屈みながら直接蛇口で洗うことも多く、毎回浴室用ブーツを履かなければ足も濡れてしまう。これらの面倒な不都合を考慮すれば、ウエットテッシュペーパー、またはモップ用湿式シートでも事足りる狭小な床面部分や家具等などにおいての利用を望むものの、安価で、無駄なく、そして容易に利用できるウエットテッシュペーパー、またはモップ用シートの利用を可能とする、ウエットテッシュペーパーまたはモップ用シートを保持するための保持具を設けた清掃具の普及が従来において進んでいない。
【課題を解決するための手段】
【０００４】  清掃具にウエットテッシュペーパー及びモップ用シートを保持するための保持部として、面ファスナーのオス面部を設ける。【０００５】弾性を有するスポンジ等において、厚さは適宜とし概ね手の平大に形成したスポンジ等を清掃具の基盤として、その左右両側面部分または上面両左右一端方に、ウエットテッシュペーパー等を保持するための保持部として、面ファスナーのオス面部を設けて清掃具とする【０００６】  前記［０００５］の清掃具の底面部分をウエットテッシュペーパーで包み込むようにし、そのウエットテッシュペーパー等のそれぞれ左右の余白部分をスポンジ等上面部方に折り上げながら、側面部分または上面部分にウエットテッシュペーパー等の保持部として設けた面ファスナーのオス面部に貼り付けるように取り付ければ、極薄手のウエットテッシュペーパー等も利用可能となる。【０００７】  また、弾性を有するスポンジ等を概ね手の平大とし、厚さを板状に形成したスポンジ等を清掃具の基盤とし、その清掃具の基盤上面部分左右両一端方に面ファスナーのオス面部を設け、同面略中央部に板状となった清掃具を手の平で可動させるために、突起状把持部または、指輪状の保持部を設け、前記［０００６］と同様にウエットテッシュペーパー等を取り付け、手の平で清掃する柔軟性を持った清掃具とした。【０００８】  また、片手仕様とする小型モップの基盤上面部四縁に乾式モップ用シートを保持するため、面ファスナーのオス面部を設け、また同面略中央部に柄を設ける。また軽量でかつ極めて高い弾性を有するポリエステル綿やフェルト綿等を弾性体として、モップ基盤底面部分に設けて一体とし、片手仕様小型モップとする。
【考案の効果】
【０００９】    清掃具に取り付けるウエットテッシュペーパー及びモップ用シートにおいての保持部とする面ファスナーのオス面部は、ウエットテッシュペーパー及びモップ用シートを面ファスナーのオス面部に接触させ、軽く撫でるように貼り付けるだけでウエットテッシュペーパー及びモップ用シートを保持することができる。また、面ファスナーのオス面部は形状として、帯状でもシール状でも面状でもほぼ自由に形成することができ、また設置方法も貼り付けるだけでよい。【００１０】  弾性を有したスポンジ等を、それぞれの目的に応じて形成したスポンジ等を清掃具の基盤とし、その基盤の側面部分または上面部分に、ウエットテッシュペーパー等を保持するための保持部として、面ファスナーのオス面部を設けた清掃具とすることにより、極薄手のウエットテッシュペーパー及びモップ用シートの取り付けが可能となり、ウエットテッシュペーパー及びモップ用シートの利用も容易に可能となった。【００１１】  またウエットテッシュペーパー及びモップ用シートの利用が可能となったことで、雑巾に代わって手軽にそして容易に、狭小な床面や家具等、また油脂分を含む台所等々において、幅広い利用が可能となった。【００１２】  また、前記の［０００７］においてはスポンジ等の厚さを板状に薄くし、その上面部分にウエットテッシュペーパー及びモップ用シートの保持部として、面ファスナーのオス面部を設けまた、手の平で可動させるために突起状把持部等を設けた清掃具としたことで、清掃具と手の平が密着し、安定した清掃ができる。またウエットテッシュペーパー及びモップ用シートが容易に装着でき、拭き面の隅々まで拭くことができ、また小物等が密集した隙間等においても小回りが可能となり、またサッシの枠等においても本清掃具を手に装着したまま本清掃具ごと指を折り曲げて清掃することも可能であり、またその場その場においての臨時的な清掃も、一般的な乾式テッシュペーパーのように、ウエットテッシュペーパーも安価で、手軽に、後処理もなく利用ができ、その利用範囲はさらに広いものとなる。【００１３】    また前記の［０００８］においては、従来の片手仕様の小型モップに類似するものの、その従来のモップの拭き材はモップと一体となったものや、拭き材の取り替え交換を可能としたものがあるが、清掃後に付着した埃等は、一体としたものはその都度払い落とし、落とし切れなかった汚れはそのままにその後複数回使用の後洗浄され、また拭き材を使い捨てとした取り替え交換を可能としたものであっても、その拭き材は高価でもあり、やはり複数回は汚れを付着したまま使用することが一般的である。その点［０００８］の清掃具はモップ用乾式シートの利用を可能としたもので、安価で安心してそして容易に取り替えも出来る。
【図面の簡単な説明】
【００１４】
【図１】  ウエットテッシュペーパー等の保持部を設けた清掃具の斜視図である。
【図２】  ウエットテッシュペーパー等の保持部及び、突起状把持部を設けた清掃具の斜視図である。
【図３】  小型モップ全体の斜視図である。
【考案を実施するための最良の形態】
【００１５】  弾性を有するスポンジ等において、厚さは適宜とし、面とする広さは概ね手の平大程度として形成したスポンジ等を清掃具の基盤として、その清掃具の基盤の左右両側面部または、上面部分左右両一端方に、ウエットテッシュペーパー及びモップ用シートの保持部として面ファスナーのオス面部を設ける。【００１６】  その清掃具底面部全面をウエットテッシュペーパー等で包み込むように、その清掃具の底面部左右両端部分よりウエットテッシュペーパー等の左右それぞれの余白部分を上面部の方へ折り上げながら、清掃具側面部分または上面部分に設けた面ファスナーのオス面部に貼り付けるように取り付けて、ウエットテッシュペーパー及びモップ用シートを拭き材とすることを可能にした清掃具とする。【００１７】  また、スポンジ等の面部分を概ね手の平大とし、厚さは板状に形成して清掃具の基盤とし、その清掃具基盤上面部分左右一端方に面ファスナーのオス面部を設け、同面略中央部に板状となった清掃具を手の平で可動させるため、突起状把持部または指輪状の保持部を設けて一体とした清掃具とする。【００１８】  また、［０００５］や［０００７］等の拭き材として取り付けたウエットテッシュペーパーまたはモップ用シートと床面等との間においての滑りを潤滑にするため、それら清掃具の底面部全面に、スポンジフィルター等を設けてもよい。【００１９】  片手用仕様の小型モップの基盤とするその基盤底面部に、極めて高い弾性を有するポリエステル綿またはフェルト綿等を弾性体として設け、その同基盤上面部分四縁に沿って、ウエットテッシュペーパーまたはモップ用シートの保持部として面ファスナーのオス面部を設け、また同面略中央部分に柄を設けて一体とし、ウエットテッシュペーパーまたはモップ用シートを拭き材とした片手用仕様の清掃用小型モップとする。
【符号の説明】
【００２０】１    基盤
２    基盤上面部保持部
３    基盤側面部保持部
４    板状基盤
５    板状基盤上面部保持部
６    突起状把持部
７    モップ基盤
８    モップ基盤上面保持部
９    モップ弾性体
１０  柄
１１  基盤底面部滑り止め
【図１】
0003192947.tif 000003
【図２】
0003192947.tif 000004
【図３】
0003192947.tif 000005